(57)【特許請求の範囲】
【請求項１】
眼鏡の前枠に補助眼鏡を着脱自在に取り付けるための取付装置において、
補助レンズの外側周縁に沿って伸びる第一の脚と、
この第一の脚に少なくとも一つ設けられ、前記眼鏡の前枠又はレンズの外側周縁に係止される係止爪と、
前記補助レンズの内側周縁に沿って伸びる第二の脚と、
この第二の脚に少なくとも一つ設けられ、前記眼鏡の前枠又はレンズの内側周縁に係止される係止爪と、
左右の前記第一の脚及び前記第二の脚を連結する連結部材と、
この連結部材に取り付けられ、前記補助レンズを保持するレンズ支持部材と、
前記第一の脚の基部と前記連結部材との間に設けられ、前記第一の脚の弾性変形を吸収する変形吸収部と、
左右の前記変形吸収部の間で前記連結部材に設けられ、前記レンズ支持部材を回動自在に支持する軸支部と、
を有し、
前記第二の脚の基部を、前記連結部材の端部又は前記変形吸収部と前記連結部材との間に位置させ、
前記第一の脚及び前記第二の脚の少なくとも一方を、先端に向かうほど径が減少する先細状に形成したこと、
を特徴とする補助眼鏡の取付装置。
【請求項２】
前記変形吸収部が、下向き凸状の湾曲部又は屈曲部から形成されていることを特徴とする請求項１に記載の補助眼鏡の取付装置。
【請求項３】
前記レンズ支持部材が、前記連結部材に支持された回動軸により回動自在であることを特徴とする請求項１又は２に記載の補助眼鏡の取付装置。
【発明の詳細な説明】
【技術分野】
【０００１】
本発明は、眼鏡に対して調光や偏光，視力矯正等の機能を補助又は付加するための補助眼鏡に関し、特に、この補助眼鏡を眼鏡の前枠に対して着脱自在に取り付けるための取付装置に関する。
【背景技術】
【０００２】
この種の取付装置としては、眼鏡フレームやブリッジに懸架する構造のものやネジ止めする構造のものが知られている。このような構造の取付装置は、眼鏡本体にしっかりと補助眼鏡を取り付けることができるという利点を有するものの、取付装置が重くなったり、装着時に不快感を覚えて長時間使用するうちに疲労感を及ぼすという問題がある。さらに、上記したような取付装置は補助眼鏡を装着した際の眼鏡の外観を損ねるという問題点がある。
そこで、このような従来の補助眼鏡の問題点を解決するべく、磁石を使って着脱するもの（例えば特許文献１参照）や、クリップではさみ着脱するものが提案されている（例えば特許文献２参照）。
しかし、磁石やクリップによるものは、衝撃により補助眼鏡がはずれやすいという欠点があった。特に、跳ね上げ式の補助眼鏡では、補助眼鏡の跳ね上げ動作がスムースで、かつ、眼鏡にしっかりと補助眼鏡を固定することができる取付装置が要求される。
【特許文献１】特開２００４―１８４４２７号公報
【特許文献２】特開２０００―２３１０８５号公報
【発明の開示】
【発明が解決しようとする課題】
【０００３】
本発明は上記の問題に鑑みてなされたもので、補助眼鏡を眼鏡に対して簡単に着脱することができ、かつ、眼鏡にしっかりと固定させることができるとともに、跳ね上げ機構を有する補助眼鏡においてもスムースな跳ね上げ動作を妨げることのない補助眼鏡の取付装置の提供を目的とする。
【課題を解決するための手段】
【０００４】
上記課題を解決するために、請求項１に記載の発明は、眼鏡の前枠に補助眼鏡を着脱自在に取り付けるための取付装置において、補助レンズの外側周縁に沿って伸びる第一の脚と、この第一の脚に少なくとも一つ設けられ、前記眼鏡の前枠又はレンズの外側周縁に係止される係止爪と、前記補助レンズの内側周縁に沿って伸びる第二の脚と、この第二の脚に少なくとも一つ設けられ、前記眼鏡の前枠又はレンズの内側周縁に係止される係止爪と、左右の前記第一の脚及び前記第二の脚を連結する連結部材と、この連結部材に取り付けられ、前記補助レンズを保持するレンズ支持部材と、前記第一の脚の基部と前記連結部材との間に設けられ、前記第一の脚の弾性変形を吸収する変形吸収部と、左右の前記変形吸収部の間に設けられ、前記レンズ支持部材を前記回動自在に支持する軸支部と、を有し、前記第二の脚の基部を、前記連結部材の端部又は前記変形吸収部と前記連結部材との間に位置させ、前記第一の脚及び前記第二の脚の少なくとも一方を、先端に向かうほど径が減少する先細状に形成した構成としてある。
前記変形吸収部は、第一の脚の弾性変形による撓みを吸収することができるものであれば特にその形態は問わないが、例えば請求項２に記載するように、下向き凸状の湾曲部又は屈曲部として形成してもよい。
上記の構成によれば、複数の係止爪が前枠やレンズの外側周縁と内側周縁とに係止されることで、補助眼鏡が眼鏡の前枠にしっかりと固定される。
【０００５】
本発明においては、第一の脚の弾性変形による撓みの大部分が、変形吸収部によって吸収され、かつ、第二の脚の基部を前記変形吸収部と前記連結部材との間に位置させているので、前記変形吸収部で吸収しきれなかった撓みが第二の脚の弾性変形による撓みによって打ち消され、前記連結部材の撓みを最小に抑制することができる。
また、前記第一の脚及び前記第二の脚の少なくとも一方を、先端に向かうほど径が減少する先細状に形成することによっても、連結部材に与える撓みの影響を小さくすることができる。
本発明は、補助眼鏡を眼鏡の前枠に装着した際の連結部材の撓みを小さくすることができるので、請求項３に記載するような連結部材に回動軸を有する跳ね上げ式の補助眼鏡において、スムースな跳ね上げ動作を損なうことがないという効果がある。
【発明の効果】
【０００６】
本発明の補助眼鏡の取付装置によれば、補助眼鏡を眼鏡に対して簡単に着脱することができ、かつ、眼鏡にしっかりと固定させることができる。また、特に跳ね上げ機構を有する補助眼鏡においても、回動軸が設けられた連結部材の撓みを小さくすることができるので、補助眼鏡のスムースな跳ね上げ動作を損なうことがない。
【発明を実施するための最良の形態】
【０００７】
以下、本発明の好適な実施形態を、図面を参照しながら詳細に説明する。
図1は、補助眼鏡の取付装置の一実施形態を示す図で、補助眼鏡が取り付けられる眼鏡本体と補助眼鏡との関係を説明する斜視図、図２は、取付装置の詳細を説明する平面図、図３は取付装置の作用を説明する部分拡大平面図である。
まず、図１を参照しつつ、この実施形態の補助眼鏡１が着脱自在に取り付けられる眼鏡２について説明する。
ハーフリムの眼鏡２は、補助眼鏡１を取り付ける前枠２１と、この前枠２１に保持される左右のレンズ２５，２５と、前枠２１の両端に設けられたヒンジ２３，２３と、このヒンジ２３，２３を介して前枠２１に対して折り畳み自在に取り付けられたテンプル２２，２２と、レンズ２５，２５の間に設けられた左右の鼻パッド２８，２８とを有している。
なお、図示の眼鏡２はこの発明の取付装置が適用可能な眼鏡の一例であり、本発明の取付装置は、リムレス眼鏡やフルリム眼鏡等の他の形態の眼鏡にも適用が可能である。
【０００８】
補助眼鏡１は、左右のレンズ２５，２５の前面に位置するように配置された左右の補助レンズ１５，１５を有している。この補助レンズ１５，１５は、調光や偏光，視力矯正等の機能を有するレンズで形成されるのが一般的である。また、補助レンズ１５，１５は、バー状のレンズ支持部材１６の両端に取り付けられて保持され、レンズ支持部材１６は取付装置１０の連結部材１１に回動自在に支持される。
【０００９】
次に、図２を参照しながら、取付装置１０の構成を詳細に説明する。なお、図２においては、説明の便宜のため、補助眼鏡１を構成する補助レンズ１５，１５及びレンズ支持部材１６の図示を省略している。
取付装置１０は、ポリアミド（ＰＡ）やポリカーボネート（ＰＣ）等のエンジニアリングプラスチックなど、弾性を有する樹脂材料で形成することができる。取付装置１０は、連結部材１１を中心に、その両端から補助レンズ１５の外側周縁に沿うように半円弧状に伸びる第一の脚１２と、補助レンズ１５の内側周縁に沿うように半円弧状に伸びる第二の脚１３とを有している。
【００１０】
第一の脚１２には、先端側及び基部寄り（連結部材寄り）の途中部位の二カ所に、前枠２１及び／又はレンズ２５の周縁に引っ掛けられる爪１２ａが後側（補助レンズ１５と反対側）に向けて形成されている。また、第二の脚１２には、爪１２ａと同様の爪１３ａが先端側に並べて二つ形成されている。
第一の脚１２及び第二の脚１３は、爪１２ａ，１３ａを眼鏡２の前枠２１やレンズ２５の周縁に引っ掛けて係合させる際に、その弾性変形をなるべく連結部材１１に伝達しないようにするために、基部から先端に行くほど径が減少する先細形状に形成するのが好ましい。
【００１１】
連結部材１１の中央には、前側（補助レンズ１５と同じ側）に向けて一対の軸支部１１ａ，１１ａが対向して立設されている。この軸支部１１ａ，１１ａには、同一の軸線上に貫通孔が形成されていて、レンズ支持部材１６に取り付けられた図示しない軸の両端が嵌装されるようになっている。この構成により、補助レンズ１５，１５はレンズ支持部材１６とともに前記軸を支点として回動自在であり、かつ、前記軸を前記貫通孔に圧入する圧入形式や前記軸の外周囲に形成した外歯と貫通孔の内周面に形成した内歯とを係合させる形式等の公知の形式を採用することで、補助レンズ１５，１５を任意の跳ね上げ位置で保持させることが可能である。
【００１２】
補助レンズ１５，１５を取付装置１０に対して回動自在に設ける場合、補助レンズ１５，１５の回動動作をスムースにするには、補助眼鏡１を眼鏡１に装着したときに、連結部材１１に撓み等の変形が生じないことが好ましい。
そこで、本発明の取付装置１０では、第一の脚１２の基部と連結部材１１の端部Ａとの間に、第一の脚１２の弾性変形をなるべく連結部材１１に伝達しないようにするための下向き凸状の屈曲形又は湾曲形の変形吸収部１４を形成している。もちろん、装着に必要な第一の脚１２の弾性を一定以上に確保しつつ同様の機能を有するのであれば、変形吸収部１４の形態は上記のものに限られない。例えば、Ｕ形や波形、半円弧形その他の形状であってよく、さらに、図示するような下向き凸状に限らず上向き凸状であってもよい。
【００１３】
第二の脚１３は、その基部が連結部材１１の端部Ａと同じ位置又は端部Ａと変形吸収部１４との間に位置するように形成される。図示の例では、前記基部は端部Ａと同じ位置に設けられている。第二の脚１３の基部をこのような位置に設けるのは、第一の脚１２ａを弾性変形させたときに、変形吸収部１４で吸収しきれなかった撓みを打ち消して、可能な限り連結部材１１の端部Ａの上方への撓みを抑制するためである。すなわち、本発明の取付装置１０では、変形吸収部１４と第二の脚１３との相乗効果によって、補助眼鏡１を眼鏡の前枠２１に装着したときの連結部材１１の撓みを、ほとんど無くすことができる。
【００１４】
次に、図３を参照しつつ上記構成の取付装置１０の作用を説明する。
図３は、補助眼鏡１を眼鏡２の前枠２１に装着する際の、第一の脚１２及び第二の脚１３の変形の様子を示すものである。
補助眼鏡１を前枠２１に装着する際には、第一の脚１２及び第二の脚１３を互いに離間する方向に弾性変形させて、爪１２ａ，１３ａを前枠２１やレンズ２５の外周縁に引っ掛ける。図３では、変形前の第一の脚１２及び第二の脚１３を仮想線（二点鎖線）で示している。
第一の脚１２の変形は先細状の先端側の方が大きく、基部側で小さいものとなる。また、第一の脚１２の基部は、変形吸収部１４を支点にして変形するが、湾曲状又は屈曲状の変形吸収部１４によって、変形吸収部１４における上下方向の撓みは抑制されることになる。
第二の脚１３の弾性変形により、連結部材１１の端部Ａには押し下げ方向に力が作用するが、変形吸収部１４を経て伝えられた第一の脚１２による押し上げ方向の力と前記押し下げ方向の力とを釣り合わせることで、端部Ａに発生する撓みをほとんど０にすることができる。
【００１５】
本発明の実施形態について説明したが、本発明は上記の説明に限られるものではない。
例えば、上記の説明では、取付装置１０はエンジニアリングプラスチック等の弾性を有する樹脂材料で形成するものとして説明したが、弾性を有するステンレスやチタン等の金属材料で形成することも可能である。また、例えば、連結部材を樹脂で形成し、第一及び第二の脚を金属で形成することも可能である。
さらに、跳ね上げ機構を備えない補助眼鏡では、レンズ支持部材１６と連結部材１１は別構成である必要は必ずしもなく、連結部材１１の両端部に補助レンズを取り付け、連結部材１１がレンズ支持部材として機能するように構成してもよい。
また、爪１２ａ，１３ａの配置位置及び数は上記の説明のものに限られず、適宜の配置で１個又は３個以上の爪を第一の脚１２又は第二の脚１３に設けてもよい。
【産業上の利用可能性】
【００１６】
本発明は、フルリム，ハーフリム，リムレスのあらゆる形態の眼鏡に着脱される補助眼鏡に好適に適用が可能である。また、本発明は、跳ね上げ機構を備えない補助眼鏡にも適用が可能である。
【図面の簡単な説明】
【００１７】
【図１】補助眼鏡の取付装置の一実施形態を示す図で、補助眼鏡が取り付けられる眼鏡本体と補助眼鏡との関係を説明する斜視図である。
【図２】取付装置の詳細を説明する平面図である。
【図３】取付装置の作用を説明する部分拡大平面図である。
【符号の説明】
【００１８】
１：補助眼鏡
１０：取付装置
１１：連結部材
１１ａ：軸支部
１２：第一の脚
１２ａ：爪（係止爪）
１３：第二の脚
１３ａ：爪（係止爪）
１４：変形吸収部
１５：補助レンズ
１６：レンズ支持部材
２１：フロント部分
２２：テンプル
２３：ヒンジ
２５：レンズ
【図１】
0005178134.tif 000002
【図２】
0005178134.tif 000003
【図３】
0005178134.tif 000004